【事件の表示】
　平成１１年特許願第３７３２９３号「記録情報収集・データベースシステム」拒絶査定不服審判事件〔平成１３年　７月１０日出願公開、特開２００１−１８８７２９〕について、次のとおり審決する。
【結　論】
　本件審判の請求は、成り立たない。
【理　由】
１．手続の経緯、本願発明
　
　本願は、平成１１年１２月２８日の特許出願であって、請求項１に係る発明（以下、「本願発明」という。）は、平成１８年４月２４日付けの手続補正により補正された明細書及び図面の記載からみて、その特許請求の範囲の請求項１に記載された次の事項により特定されるものと認める。
　
【請求項１】　インターネットに接続されたデータ管理サーバと多数のユーザーの端末装置とから構成すると共に、各端末装置には、インターネットを介して上記データ管理サーバに接続していない状態においても単独動作可能な所定のアプリケーションを実行可能に構成し、ユーザーの端末装置において、上記所定のクライアントアプリケーションを実行することにより、自己取得の記録情報を所定のフォーマットで入力してユーザーの個別データベースに、それを構成するデータとして蓄積可能すると共に、インターネットを介してデータ管理サーバに送信して統合的に蓄積可能とし、データ管理サーバは、各ユーザーの端末装置からのリクエストに対応して、データベースに統合して、各データとして蓄積されている多数のユーザーの記録情報から、Ｗｅｂのコンテンツを作成して配信可能に構成し、クライアントアプリケーションには、端末装置に入力された記録情報の保存処理において、インターネットを介して上記データ管理サーバに接続していない状態において記録情報を端末装置の個別データベースにのみ、それを構成するデータとして保存するための第１の保存処理と、記録情報を端末装置の個別データベースに保存した後にインターネットを介してデータ管理サーバに接続した状態で、データ管理サーバのデータベースにも、それを構成するデータとして保存するための第２の保存処理を選択するための手段を構成したことを特徴とする記録情報収集・データベースシステム。
　
２．刊行物記載の発明
　
　これに対して、本願出願前に頒布され、当審において平成１８年２月１７日付けで通知した拒絶の理由に引用された「小池淳他３名，医療画像データベースシステム（ＭＩＭＡＳ）の開発，電子情報通信学会技術研究報告ＤＳＰ９８−７，ＩＥ９８−７，社団法人電子情報通信学会，１９９８年４月１７日，ｐ．４９〜５６」（以下、刊行物１という。）には、図面とともに、以下の記載が認められる。
　
イ）「医療画像データベースシステム（ＭＩＭＡＳ）の開発…（中略）…本論文では、遠隔医療通信システムの実現のためのＷＷＷ（Ｗｏｒｌｄ　Ｗｉｄｅ　Ｗｅｂ）サーバを用いた医療画像情報のデータベースシステムの開発について述べる。本システムは、インターネットを用いた、例えば病院と診療所間での遠隔医療通信サービスのためのアプリケーションで、病理診断等の病診連携システムや読影会システムへの応用を目的としている。複数の医療関係者が医療画像情報を共有して、互いに情報を交換する仕組みを提供している。また、医療画像に関しては、注目する領域のみの画像を段階的に高解像度で符号化・表示する機能を実装している。」（４９頁１行〜１２行）
　
ロ）「２．ＭＩＭＡＳの慨要
２．１　システム構成
　本システムは、医療画像情報サーバとクライアント端末から構成される。図１ニ本システムでの概要図を示す。
　医療画像情報サーバ上では、ＷＷＷサーバとデータベース・システムが動作しており、Ｘ線医療画像と医療情報をデータベース化し、患者の情報や症状別の検索機能を実現している。ＷＷＷサーバとリレーショナルデータベースの間は、ＣＧＩインターフェースによるＯＤＢＣアクセスで接続されている。
（１）クライアント端末
　クライアント端末には、ＷＷＷブラウザの動作する端末を利用することができる。医療画像および医療情報の画像入出力機器として、端末に接続できるものであれば汎用の機器も専用の機器も利用可能である。
　本システムでは、２０４８画素＊２５６０ラインの医療画像表示用高精細ディスプレイを用意している。
（２）サーバ
　ＷＷＷサーバーとして、ＷｉｎｄｏｗｓＮＴの動作するサーバー機を使用し、クライアントとして、ネットワークに接続される任意の機種でのＷＷＷブラウザソフトを対象している。サーバー側では、ＨＴＴＰプロトコルサーバー及びＳＱＬサーバーを動作させる。ＨＴＴＰプロトコルサーバーは、全体的なサービス内容、Ｘ線医療画像、付随する医療データ、コメント等を提供し、連動されるＳＱＬサーバーとＯＤＢＣ（Ｏｐｅｎ　Ｄａｔａｂａｓｅ　Ｃｏｎｎｅｃｔｉｖｉｔｙ）インターフェースによりグローバルなデータベース検索機能を提供できる。
（３）Ｘ線画像データ
　ＷＷＷサーバー上で扱われるＸ線医療画像データは、クライアント側からの要求に応じて画像の拡大、縮小機能を持ち合わせる。また、複数の医療関係者による自由なマーキング機能、テキストによるコメント付加機能を提供する。
　クライアント上で表示されるＸ線医療画像データをＪＡＶＡアプレットを介して表示することにより、ＧＩＦ、ＪＰＥＧ及び、今後一般化すると考えられる多くの優れた画像フォーマットに対応できる。
（４）画像を含む情報の更新
　日々刻々と更新されるＸ線医療画像データ、及び付随する医療データをクライアント側から入力するためのデータ入力インターフェースをＷＷＷ上で提供している。
２．２　ＣＧＩ
　本システムでは、ＷＷＷサーバで一般に備えているＣｏｍｍｏｎ　Ｇａｔｅ　Ｉｎｔｅｒｆａｃｅ（ＣＧＩ）という拡張機能を利用している（図２）。このインターフェースに沿って機能拡張プログラム（ゲートウェイ）を作成することにより、Ｉｎｔｅｒｎｅｔ　ＥｘｐｌｏｒｅｒやＮｅｔｓｃａｐｅなどのＷＷＷブラウザからデータべース・サーバーにアクセス等の、さまざまなサービスを提供することを可能とし、能動的に機能する分散ネットワーク・システムを実現している。」（５０頁左欄３２行〜同頁右欄４４行）
　
ハ）「３．ＷＷＷサーバＯＤＢＣ対応ゲートウェイ・インターフェース・アプリケーションソフトウェア
３．１　概要
　ＷＷＷサーバと外部アプリケーションプログラム間の仲介を行うアプリケーションでクライアント側からの要求に対して多様な処理を行う。主にデータベース間の処理を行い、ＳＱＬ（Ｓｔｒｕｃｔｕｒｅｄ　Ｑｕｅｒｙ　Ｌａｎｇｕａｇｅ）構文によってデータベース機能の基本処理（登録、削除、変更、検索）行う。また、画像処理として提供された静止画像はクライアント側からの要求に応じて画像の拡大、縮小機能の付加価値を実現している（図６）。
　すべてのゲートウェイアプリケーションは、ＯＤＢＣの接続を可能とし、これによって様々なＯＳやシステム上でのデータベースに対してアクセスが可能となる。
３．２　機能・処理
　以下に本システムで実現されている機能について簡単に説明する
（１）静止画像とその情報の登録処理
（２）キーワード検索により検索された静止画像とその情報の表示処理
（３）登録されている静止画像とその情報の変更処理
（４）指定された静止画像とその情報の削除処理
（５）一定範囲内での画像の拡大、縮小処理
（６）マウス操作による一定範囲の矩形描画」（５２頁左欄１行〜５３頁左欄５行）
　
ニ）「４．クライアントＷＷＷブラウザＨＴＭＬユーザ・インターフェース
４．１　概要
　本クライアントは、ＷＷＷプラウザ上で動作するＨＴＭＬユーザーインターフェースである。
　ユーザーは本システムログイン時にパスワードセキュリティのチェックを受ける。このチェックを通過したユーザーに対してネットワーク上にあるデータベース内のＸ線医療画像、及び付随する医療データを検索、提供する。なお、表示されるデータ項目のうち、患者のプライバシーに抵触する可能性のある項目（施設名、医師名、患者名等）に関しては該当データ入力者以外には表示させない。Ｘ線医療画像データ、及び付随する医療データの登録、変更、削除はユーザーがリアルタイムに行うことを可能である。ユーザーの要求によって画像をクリックすることにより拡大、縮小の付加機能、マウス操作による一定範囲の矩形描画、マウスクリックによるポイントの描画などのマーキング画像の作成機能を備えており、これらの機能は、ＨＴＭＬで作成されたぺージとしてＷＷＷプラウザーに表示される。
４．２　ＧＵＩ画面
　プラウザにおけるユーザインターフェース画面の具体的なデザインなどは、別紙１のサンプルイメージ概要を参照。」（５４頁左欄２行〜同欄２７行）
　
ホ）５３頁の図６には、ＷＷＷブラウザからのＳＱＬとＯＤＢＣによるデータベースアタセスの手順として、ＷＷＷブラウザから（１）ユーザが検索などを要求、ＨＴＴＰプロトコルサーバーが（２）指定されたゲートウェイを起動、（３）ユーザの入力データを読み出し、ＳＱＬサーバーが（４）レコードの追加や検索をし、（５）処理結果をＨＴＭＬ形式で出力し、ＨＴＴＰプロトコルサーバーが（６）処理結果を返すことが示されている。
　
ヘ）５６頁の別紙１　ＧＵＩ画面のサンプルには、所定のフォーマットで入力するデータ＜登録画面＞が示されている。　
　
　これらのイ）〜ヘ）の記載によれば、刊行物１には、以下の発明（以下「刊行物１記載発明」という。）が開示されていると認めることができる。
　
　医療画像情報サーバとクライアント端末から構成され、複数の医療関係者が医療画像情報を共有して、互いに情報を交換する仕組みを提供し、Ｘ線医療画像データ、及び付随する医療データの登録、変更、削除をユーザーがリアルタイムに行うことを可能にする、ＷＷＷ（Ｗｏｒｌｄ　Ｗｉｄｅ　Ｗｅｂ）サーバを用いた医療画像情報のデータベースシステムにおいて、
　医療画像情報サーバ側では、
　ＷＷＷサーバとデータベース・システムが動作しており、Ｘ線医療画像と医療情報をデータベース化し、患者の情報や症状別の検索機能を実現し、　ＷＷＷサーバとリレーショナルデータベースの間は、ＣＧＩインターフェースによるＯＤＢＣアクセスで接続され、ＨＴＴＰプロトコルサーバーは、全体的なサービス内容、Ｘ線医療画像、付随する医療データ、コメント等を提供し、連動されるＳＱＬサーバーとＯＤＢＣ（Ｏｐｅｎ　Ｄａｔａｂａｓｅ　Ｃｏｎｎｅｃｔｉｖｉｔｙ）インターフェースによりグローバルなデータベース検索機能を提供でき、
　クライアント端末側では、
　ＷＷＷブラウザが動作し、プラウザにおけるユーザインターフェース画面の具体的なデザインの一つとして、所定のフォーマットで入力するデータ登録画面を用い、
　ＷＷＷブラウザからのＳＱＬとＯＤＢＣによるデータベースアタセスの手順として、ＷＷＷブラウザから（１）ユーザが検索などを要求、ＨＴＴＰプロトコルサーバーが（２）指定されたゲートウェイを起動、（３）ユーザの入力データを読み出し、ＳＱＬサーバーが（４）レコードの追加や検索をし、（５）処理結果をＨＴＭＬ形式で出力し、ＨＴＴＰプロトコルサーバーが（６）処理結果を返し、日々刻々と更新されるＸ線医療画像データ、及び付随する医療データをクライアント側から入力するためのデータ入力インターフェースをＷＷＷ上で提供する医療画像データベースシステム。
　
　また、当審において平成１８年２月１７日付けで通知した拒絶の理由に引用された特開平１０−２５４８０３号公報（以下、刊行物２という。）には、図面とともに、以下の記載が認められる。
　
【０００１】
【発明の属する技術分野】本発明はインターネット・ベースのデータ入力システムの技術分野に関する。より詳細には、本発明は、切断モードにおいてウェブ・ブラウザを通じてデータを入力し、クライアント・コンピュータ上に局所記憶を提供することにより、後に接続モードにおいて、インターネットを通じて、ウェブ・サーバ・コンピュータへ伝送することに備える方法及び装置を提供する。
　
【００１３】本発明の別の目的は、ブラウザを通じるデータ収集に、クライアント・コンピュータ上の局所ファイルへの記憶を提供することにより、後にインターネットを通じてウェブ・サーバに伝送することに備えることである。
【００１４】本発明の更に別の目的は、ブラウザを通じるデータ収集に、局所ファイルへの記憶を提供することにより、ビジネス取り引きの局所個人記録を保存することである。
【００１５】本発明の更に別の目的は、接続モード及び切断モードの両方において、ユーザがデータを同様に入力することを可能にする、データ入力のための一貫したユーザ・インタフェースをブラウザ内に提供することである。
　
【００２４】図２を参照すると、クライアント・コンピュータ１０とウェブ・サーバ２２との間の、インターネット１６を通じるデータ・フローの図式表現が提供される。クライアント・コンピュータ１０を操作するユーザは、例えば電話装置からインターネット１６への接続１４を形成する。接続モードでは、ユーザはウェブ・サーバ２２のＵＲＬを入力し、これがインターネット１６及び接続２０を通じて、特定のウェブ・サーバ２２に転送される。ウェブ・サーバ２２はハード・ディスク２６からウェブ・ページ３１を獲得し、ファイル３４をインターネットを介して、一連の接続３２を通じて、クライアント・コンピュータのブラウザに提供する。ウェブ・ページ３１はＨＴＭＬタグ、特に書式タグ（＜FORM＞）、関連入力タグ（＜INPUT＞）、及びサブミット・タグ（＜SUBMIT＞）を含む。ユーザはウェブ・ページと対話し、要求入力フィールドを記入し、入力データ３６がサブミット・ボタン上のマウス・ポインタのポイント及びクリックにより、インターネットを介して、一連の接続３８を通じて、ウェブ・サーバ２２に返送されて処理される。ウェブ・サーバ２２は、ハード・ディスク２６上に配置されるＣＧＩスクリプトを呼び出し、受信データ３９を処理する。
【００２５】切断モードでは、クライアント・コンピュータ１２を操作するユーザは、内部接続３３を通じて、局所ハード・ディスク３５上にデータを保管しうる。切断モードでは、ウェブ・サーバ２２と、またはウェブ・サーバ２２に参照番号２４で示されるように接続されるハード・ディスク２６上に配置される関連ＣＧＩスクリプトと通信することはできない。従って、ユーザは切断モードにおいて、保管済みデータ・ファイルの局所ファイル管理の責任を負う。或いは、局所ファイル管理の機能を実行するために、ＪＡＶＡアプレットがクライアント・コンピュータ上に配備されうる。
　
【００３２】図４を参照すると、本発明の有限状態マシンが、一般に参照番号７０で示される。初期状態はロード状態７２であり、これは本発明の初期書式メニュー・ウェブ・ページを、クライアント・コンピュータ上のブラウザにロードする。ロード状態７２はブラウザの機能である。初期書式メニュー・ウェブ・ページは、接続モードにおいてインターネットを通じて、または切断モードにおいて、クライアント・コンピュータ上の局所ハード・ディスクから、ブラウザにロードされうる。切断モードでは、ウェブ・ページはインターネットへのアクセスを通じて以前に獲得済みであり、クライアント・コンピュータ内のハード・ディスク上に局所的に保管されている。ウェブ・ページ、原始ＨＴＭＬファイル、図形イメージ、または他の要素の完全な内容が、本発明を操作しようと試行する以前に、インターネットから受信されなければならない。
　
【００７６】図１４を参照すると、初期書式メニュー・ウェブ・ページの操作表示が、ブラウザ４００内に一般に参照番号４０３で示される。メニュー・バー及びツール・バー４０７がブラウザにとって使用可能である。抵当証券申込書ボタン４０５は、マウス・ポイント及びクリック事象により、メニュー・バーまたはツール・バーの無い新たなブラウザ・ウィンドウを開き、基本文書をロードする。
【００７７】図１５を参照すると、データ入力以前の本発明の基本文書４０２の操作表示がブラウザ４００内に示される。メニュー・バー及びツール・バーが除去されている点に注意されたい。基本文書のソース・コンテンツは図８乃至図１２に示され、既に前述した通りである。
【００７８】マイクロソフト・インターネット・エクスプローラ・ブラウザ４００が、基本文書４０２を含むように示される。基本文書４０２は、局所ＵＲＬをブラウザのアドレス領域に入力することにより、或いはファイルを開くオプションを有するプルダウン・メニューから、ロードされる。
【００７９】基本文書４０２は、一般に４０４で示されるラジオボタン・タイプの入力フィールドのリストを含む。ユーザによるマウス・ポイント及びクリック・アクションが、特定のラジオ・フィールドを選択する。入力フィールド４０６は、ファースト・ネームのデータ入力を提供する。入力フィールド４０８は、ミドル・イニシャルのデータ入力を提供する。入力フィールド４１０は、ラスト・ネームのデータ入力を提供する。入力フィールド４１２は、電子メール・アドレスのデータ入力を提供する。入力フィールド４１４は、自宅の電話番号のデータ入力を提供する。入力フィールド４１６は、勤務先の電話番号のデータ入力を提供する。入力フィールド４１８は、自宅のファックス番号のデータ入力を提供する。最後に、ボタン４２０データ収集は、入力データを収集し、副次文書を作成するコード生成状態の活動化を提供する。
　
【００８５】この時点における副次文書は、ウェブ・サーバへの後の伝送のために、ユーザによりクライアント・コンピュータ内の局所ハード・ディスク上に記憶される準備が整う。ボタン４４０書式のサブミットが副次文書４５８に追加されており、接続モードにおいてユーザによるマウス・ポイント及びクリック・アクションを通じて、収集データをインターネットを通じてウェブ・サーバに伝送する機構を提供する。
【００８６】図１８を参照すると、副次文書４５８を収集データと一緒に記憶する第１のステップが示される。ユーザは最初に、マウス・ポイント及びクリック・アクションにより、ブラウザ４００からファイル・プルダウン４６２を選択する。リスト内において、ユーザはSaveAsオプション４６０を選択する。
【００８７】図１９を参照すると、副次文書４５８を収集データと一緒に、クライアント・コンピュータのハード・ファイルに局所的に記憶する第２のステップが示される。ユーザはキーボードを通じて、ファイル名をファイル名フィールド４６６に入力し、ＯＫボタン４６４上での別のマウス・ポイント及びクリック・アクションを通じて、副次文書及び収集データを、クライアント・コンピュータ内のハード・ディスク上に、customer.htmの名前により局所的に保管する。
【００８８】副次文書及び収集データは接続モードの間に、インターネットを通じて、ウェブ・サーバに送信されうる。ユーザはＬＡＮまたは電話装置により、クライアント・コンピュータをインターネットに接続し、インターネットへのアクセスをダイヤルする。１度接続されると、特定のウェブ・サーバのＵＲＬがブラウザのアドレス行に入力され、接続が確立される。ブラウザのアドレス行またはファイル・プルダウンから、保管済みのファイルcustomer.htmが、ブラウザ内にロードされる。ユーザはマウス・ポイント及びクリック・アクションを通じて、サブミット・ボタンを選択することにより、収集データをウェブ・サーバに伝送し、関連ＣＧＩスクリプトを活動化して、受信データを処理する。プロセスは、追加の保管済み副次文書の各々に対して繰り返されうる。
　
　これらの記載によれば、刊行物２には、以下の発明（以下「刊行物２記載発明」という。）が開示されていると認めることができる。
　
　ビジネス取り引きの局所個人記録を保存し、接続モード及び切断モードの両方において、データ入力のための一貫したユーザ・インタフェースをブラウザ内に提供するために、切断モードにおいてウェブ・ブラウザを通じてデータを入力し、クライアント・コンピュータ上に局所記憶を提供することにより、後に接続モードにおいて、インターネットを通じて、ウェブ・サーバ・コンピュータへ伝送するインターネット・ベースのデータ入力システムにおいて、
　接続モードでは、ユーザはウェブ・サーバ２２のＵＲＬを入力し、これがインターネット１６及び接続２０を通じて、特定のウェブ・サーバ２２に転送され、ウェブ・サーバ２２はハード・ディスク２６からウェブ・ページ３１を獲得し、ファイル３４をインターネットを介して、一連の接続３２を通じて、クライアント・コンピュータのブラウザに提供し、ユーザはウェブ・ページと対話し、要求入力フィールドを記入し、入力データ３６がサブミット・ボタン上のマウス・ポインタのポイント及びクリックにより、インターネットを介して、一連の接続３８を通じて、ウェブ・サーバ２２に返送されて処理され、ウェブ・サーバ２２は、ハード・ディスク２６上に配置されるＣＧＩスクリプトを呼び出し、受信データ３９を処理し、
　切断モードでは、初期書式メニュー・ウェブ・ページは、クライアント・コンピュータ上の局所ハード・ディスクから、ブラウザにロードされ、クライアント・コンピュータ１２を操作するユーザは、内部接続３３を通じて、局所ハード・ディスク３５上にデータを保管し、ユーザーはボタン４２０データ収集を選択し、入力データを収集し、作成された副次文書は、ウェブ・サーバへの後の伝送のために、ユーザによりクライアント・コンピュータ内の局所ハード・ディスク上に記憶され、
　切断モードの間に、ユーザはSaveAsオプション４６０を選択し、副次文書及び収集データを、クライアント・コンピュータ内のハード・ディスク上に、customer.htmの名前により局所的に保管し、接続モードの間に、ユーザーは、ボタン４４０書式のサブミットを選択し、その副次文書及び収集データを、インターネットを通じて、ウェブ・サーバに送信するインターネット・ベースのデータ入力システム。
　
３．本願発明と刊行物記載の発明との比較
　
　そこで、本願発明と刊行物１記載発明とを比較すると、刊行物１記載発明の「医療画像情報サーバ」、「クライアント端末」、「ＷＷＷブラウザ」、「医療画像データベースシステム」は、本願発明の「インターネットに接続されたデータ管理サーバ」、「多数のユーザーの端末装置」、「所定のクライアントアプリケーション」、「記録情報収集・データベースシステム」に相当する。
　また、刊行物１記載発明では、日々刻々と更新されるＸ線医療画像データ、及び付随する医療データをクライアント側から入力するためのデータ入力インターフェースをＷＷＷ上で提供し、また、プラウザにおけるユーザインターフェース画面の具体的なデザインの一つとして、所定のフォーマットで入力する＜データ登録画面＞を用いているから、刊行物１記載発明の「ＷＷＷブラウザ」（本願発明の「所定のクライアントアプリケーション」に相当）を実行することにより、自己取得の記録情報を所定のフォーマットで入力して、データベースに統合して、各データとして蓄積した結果、データベースに統合して、各データとして蓄積されている多数のユーザーの記録情報にしていることは、明らかである。
　また、刊行物１記載発明の「医療画像情報サーバ」（本願発明の「インターネットに接続されたデータ管理サーバ」に相当）では、ＷＷＷサーバ、ＨＴＴＰプロトコルサーバー、ＳＱＬサーバーが動作し、ＷＷＷブラウザからのＳＱＬとＯＤＢＣによるデータベースアタセスの手順として、ＷＷＷブラウザから（１）ユーザが検索などを要求、ＨＴＴＰプロトコルサーバーが（２）指定されたゲートウェイを起動、（３）ユーザの入力データを読み出し、ＳＱＬサーバーが（４）レコードの追加や検索をし、（５）処理結果をＨＴＭＬ形式で出力し、ＨＴＴＰプロトコルサーバーが（６）処理結果を返しているから、刊行物１記載発明の「医療画像情報サーバ」は、各ユーザーの端末装置からのリクエストに対応して、データベースに統合して、各データとして蓄積されている多数のユーザーの記録情報から、Ｗｅｂのコンテンツを作成して配信可能に構成していることも、明らかである。
　
　したがって、両者は、
　インターネットに接続されたデータ管理サーバと多数のユーザーの端末装置とから構成すると共に、各端末装置には、所定のアプリケーションを実行可能に構成し、ユーザーの端末装置において、上記所定のクライアントアプリケーションを実行することにより、自己取得の記録情報を所定のフォーマットで入力して、インターネットを介してデータ管理サーバに送信して統合的に蓄積可能とし、データ管理サーバは、各ユーザーの端末装置からのリクエストに対応して、データベースに統合して、各データとして蓄積されている多数のユーザーの記録情報から、Ｗｅｂのコンテンツを作成して配信可能に構成した記録情報収集・データベースシステムである点で一致し、以下の点で相違している。
　
［相違点１］
　本願発明では、各端末装置には、インターネットを介して上記データ管理サーバに接続していない状態においても単独動作可能な所定のアプリケーションを実行可能に構成し、ユーザーの端末装置において、上記所定のクライアントアプリケーションを実行することにより、自己取得の記録情報を所定のフォーマットで入力してユーザーの個別データベースに、それを構成するデータとして蓄積可能すると共に、インターネットを介してデータ管理サーバに送信して統合的に蓄積可能とするのに対し、
　刊行物１記載発明では、所定のアプリケーションがインターネットを介して上記データ管理サーバに接続していない状態においても単独動作可能なことや、ユーザーの個別データベースに蓄積可能にすることが明らかでない点。
　
［相違点２］
　クライアントアプリケーションには、本願発明が、端末装置に入力された記録情報の保存処理において、インターネットを介して上記データ管理サーバに接続していない状態において記録情報を端末装置の個別データベースにのみ、それを構成するデータとして保存するための第１の保存処理と、記録情報を、端末装置の個別データベースに保存した後にインターネットを介してデータ管理サーバに接続した状態で、データ管理サーバのデータベースにも、それを構成するデータとして保存するための第２の保存処理を選択するための手段を構成したのに対し、
　刊行物１記載発明では、かかる二つの保存処理を選択するための手段を構成していない点。
　
４．相違点の検討
　
［相違点１、２］について
　本願発明と刊行物２記載発明とを比較すると、刊行物２記載発明の「ウェブ・サーバ２２」、「クライアント・コンピュータ」、「ユーザはウェブ・ページと対話し、要求入力フィールドを記入し」、「切断モード」、「接続モード」は、それぞれ、本願発明の「インターネットに接続されたデータ管理サーバ」、「多数のユーザーの端末装置」、「自己取得の記録情報を所定のフォーマットで入力して」、「インターネットを介してデータ管理サーバに接続していない状態」、「インターネットを介してデータ管理サーバに接続した状態」に相当する。
　また、刊行物２記載発明において、切断モードでは、初期書式メニュー・ウェブ・ページは、クライアント・コンピュータ上の局所ハード・ディスクから、ブラウザにロードされ、ユーザーはボタン４２０データ収集を選択し、入力データを収集しているから、刊行物２記載発明の「ブラウザ」は、本願発明の「インターネットを介して上記データ管理サーバに接続していない状態においても単独動作可能な所定のアプリケーション」に相当する。
　また、刊行物２記載発明において、切断モードの間に、ユーザはSaveAsオプション４６０を選択し、副次文書及び収集データを、クライアント・コンピュータ内のハード・ディスク上に、customer.htmの名前により局所的に保管し、接続モードの間に、ユーザーは、ボタン４４０書式のサブミットを選択し、その副次文書及び収集データを、インターネットを通じて、ウェブ・サーバに送信するから、刊行物２記載発明のユーザーの端末装置において、自己取得の記録情報を所定のフォーマットで入力して蓄積可能であると共に、その記録情報をインターネットを介してデータ管理サーバに送信して統合的に蓄積可能であり、刊行物２記載発明の「SaveAsオプション４６０、ボタン４４０書式のサブミット」が、「自己取得の記録情報の保存処理において、インターネットを介して上記データ管理サーバに接続していない状態において記録情報を端末装置にのみ保存するための第１の保存処理と、記録情報を端末装置に保存した後にインターネットを介してデータ管理サーバに接続した状態で、データ管理サーバにも保存するための第２の保存処理を選択するための手段」であることが明らかであるから、刊行物２記載発明を本願発明の用語を用いると、以下のように表現することができる。
　
　ユーザーの端末装置において、自己取得の記録情報を所定のフォーマットで入力して蓄積し、インターネットを介してデータ管理サーバに接続していない状態及びインターネットを介してデータ管理サーバに接続した状態の両方において、データ入力のための一貫したユーザ・インタフェースをクライアントアプリケーション内に提供するために、
　各端末装置には、インターネットを介してデータ管理サーバに接続していない状態においても単独動作可能な所定のアプリケーションを実行可能に構成し、ユーザーの端末装置において、所定のクライアントアプリケーションを実行することにより、自己取得の記録情報を所定のフォーマットで入力して蓄積可能にすると共に、インターネットを介してデータ管理サーバに送信して統合的に蓄積可能とし、
　クライアントアプリケーションには、自己取得の記録情報の保存処理において、インターネットを介して上記データ管理サーバに接続していない状態において記録情報を端末装置にのみ保存するための第１の保存処理と、記録情報を端末装置に保存した後にインターネットを介してデータ管理サーバに接続した状態で、データ管理サーバにも保存するための第２の保存処理を選択する手段を構成した記録情報収集システム。
　
　また、刊行物１記載発明や刊行物２記載発明において、所定のクライアントアプリケーションを実行することにより、自己取得の記録情報を所定のフォーマットで入力するが、このような記録情報は端末装置に入力された記録情報であることは明らかである。
　そうすると、刊行物１記載発明の「ＷＷＷブラウザ」（本願発明の「所定のクライアントアプリケーション」に相当）に、刊行物２記載の発明の「クライアントアプリケーション」のように、インターネットを介してデータ管理サーバに接続していない状態においても単独動作可能にして、そのクライアントアプリケーションには、端末装置に入力された記録情報を端末装置にのみ保存するための第１の保存処理と、端末装置に入力された記録情報を端末装置に保存した後にインターネットを介してデータ管理サーバに接続した状態で、データ管理サーバにも保存するための第２の保存処理を選択する手段を構成することは、当業者が容易になし得たことである。
　その結果、刊行物１記載発明において、端末装置に入力された記録情報について、所定のクライアントアプリケーションが行う第１の保存処理や第２の保存処理で保存させるデータが、個別データベースやデータ管理サーバのデータベースのデータを構成するデータとなることは、当然のことである。
　
　なお、請求人は、本願発明の効果として、本願発明の明細書の発明の効果の項の記載に基づき、次のようなものを主張している。
　
　ａ．ダイビング等の自然に関する各分野や、その他の各種分野における愛好者等は、自己のコンピュータシステムにおいて所定のクライアントアプリケーションを起動して、自己取得の記録情報を所定のフォーマットで入力して、自己のデータベースに追加して記録が可能であり、また入力した記録情報の保存処理において、選択したもの、即ち、データ管理サーバを介して他者に公開するものについてはインターネットを介してデータ管理サーバにも送信して、データベースを構成するデータとして蓄積することができる。
　ｂ．データ管理サーバのデータベースには、予め登録されている多数の愛好者等からの多数の記録情報が統合的に蓄積され、データ管理サーバにおいては、各ユーザーのコンピュータシステムからのリクエストに対応して、データベースに統合して蓄積されている多数のユーザーの記録情報から、Ｗｅｂのコンテンツを作成して配信を行うことができるので、個々の愛好者等は、自己が取得した記録情報だけでなく、多数の他の同好の士が取得した記録情報を統合的に利用することができる。
　ｃ．全国に遍く分布している愛好者等の収集した記録情報がデータベース化されるため、多量のデータを容易に収集できるという大いなる利点が得られる。
　ｄ．このように多数のユーザーが、自己取得の記録情報をデータ管理サーバに送信して蓄積することにより、多量の記録情報を収集して統合的にデータベース化することができ、愛好者等はもとより、教育や学術や観光等の多くの分野において有効に活用することができる。
　ｅ．また愛好者等は、自己取得の記録情報を、自己のみの情報としても記録して活用することもできる。
　
　しかし、これらの効果のうち、ｂ〜ｄの効果は、刊行物１記載発明の「複数の医療関係者が医療画像情報を共有して、互いに情報を交換する仕組みを提供し、Ｘ線医療画像データ、及び付随する医療データの登録、変更、削除をユーザーがリアルタイムに行うことを可能にする」という効果から当業者が予測できる範囲のものである。
　また、ａ及びｅのような、「他者に公開するものについてはデータベースを構成するデータとして蓄積し、自己取得の記録情報を、自己のみの情報としても記録して活用する」という効果も、刊行物１記載発明の「所定のクライアントアプリケーション」に、刊行物２記載の発明の「自己取得の記録情報の保存処理において、記録情報を端末装置にのみ保存するための第１の保存処理と、記録情報を端末装置に保存した後にデータ管理サーバにも保存するための第２の保存処理を選択する手段」を構成したことにより当然に生じる効果であり、格別のものではないから、本願発明は、刊行物１記載発明及び刊行物２記載発明に基づいて、当業者が容易に発明をすることができたものである。
　
５．むすび
　
　本願発明は、刊行物１記載発明及び刊行物２記載発明に基づいて当業者が容易に発明をすることができたものと認められるから特許法第２９条第２項の規定によって特許を受けることができない。
　
　よって、結論のとおり審決する。